(57)【要約】【課題】光源ボックスの手前側などでも光源からの光の連続性を充分に確保することができるライトガイド型照明装置を提供することにある。【解決手段】透光性を有するパイプ（１）とこのパイプ（１）に繋がり、内部に光源（５）を内蔵する光源ボックス（２）とを設けたライトガイド型照明装置であって、上記光源ボックス（２）の側方に補助光源（３）を設けるとともに、この補助光源（３）の光を投射させる光投射板（４）を設けた。【選択図】    図１
2004213939.tif 000002
【特許請求の範囲】
【請求項１】
透光性を有するパイプとこのパイプに繋がり、内部に光源を内蔵する光源ボックスとを設けたライトガイド型照明装置であって、上記光源ボックスの側方に補助光源を設けるとともに、この補助光源の光を投射させる光投射板を設けたことを特徴とするライトガイド型照明装置。
【請求項２】
上記光投射板が、ストライプ状に形成されたパターンであることを特徴とする請求項１記載のライトガイド型照明装置。
【請求項３】
上記ストライプ状に形成されたパターンが、黒色になっている黒色ゾーンと銀色になっている銀色ゾーンとを有しているものであることを特徴とする請求項２記載のライトガイド型照明装置。
【請求項４】
上記光投射板が、半透光性のものであり、上記パイプの外周の一部と略同一となるように形成されていることを特徴とする請求項１ないし請求項３いずれか記載のライトガイド型照明装置。
【請求項５】
上記光投射板の手前側に半透光性の縦リブパネルを設けたことを特徴とする請求項１ないし請求項４いずれか記載のライトガイド型照明装置。
【請求項６】
上記光投射板が、上記補助光源を覆いかぶせるものであることを特徴とする請求項１ないし請求項４いずれか記載のライトガイド型照明装置。
【請求項７】
上記パイプの両端部にエンドキャップがそれぞれ設けられ、このエンドキャップが、半透光性の拡散シートであることを特徴とする請求項１ないし請求項６いずれか記載のライトガイド型照明装置。
【請求項８】
上記パイプどうしが、直列に連結されたものであることを特徴とする請求項１ないし請求項７いずれか記載のライトガイド型照明装置。
【発明の詳細な説明】
【０００１】
【発明の属する技術分野】
本発明は、ライトガイド型照明装置に関し、さらに詳しくは、透光性を有するパイプを用いて光源からの光を遠方に導きながら、同パイプの経路途中で光を放出させて光らせることができるライトガイド型照明装置に関するものである。
【０００２】
【従来の技術】
従来のライトガイド型照明装置としては、例えば、下記の特許文献１に示されるようなものが知られており、具体的には、図８に示すごとく、透光性を有するとともに、内面に導光性を有する導光材を配したパイプ（１）とこのパイプ（１）に繋がり、内部に光源（５）を内蔵する光源ボックス（２）とを設けたものであり、この光源（５）からの光を遠方に導きながら、上記パイプ（１）の経路途中で光を徐々に外部に放出するものであった。
【０００３】
そして、上記光源ボックス（２）は、上記パイプ（１）の開放端部と、光源（５）とこの光源（５）の周囲を覆って一端側の投光開口から光を照射する反射鏡（１４）を有していたものであり、同光源ボックス（２）とパイプ（１）との連結に用いられる［パイプ（１）どうしの連結用であっても良い。］連結部材（１５）の内部に、内面が鏡面となっている筒状の補助反射板（１３）を配したものであった。さらに、パイプ（１）側の端部が同パイプ（１）内に侵入している上記補助反射板（１３）は、光源（５）からの直射熱によるパイプ（１）、あるいは、連結部材（１５）の変形を防ぐだけでなく、同パイプ（１）の端面に光が入射してしまうことを防ぐ部材としても機能するものであった。しかも、このように補助反射板（１３）を設けたものにおいては、同補助反射板（１３）で反射させることができるために、導光効率の低下を防ぐことができるものであった。
【０００４】
【特許文献１】
特開２００１−１５５５０４号公報
【０００５】
【発明が解決しようとする課題】
しかしながら、このような従来のライトガイド型照明装置においては、パイプ（１）と光源ボックス（２）との連結部分で連結部材（１５）の内面に取り付けられる補助反射板（１３）を設けているために、この補助反射板（１３）にて光源（５）からの光を反射させることができて、導光効率の低下を防ぐことができるものの、光源ボックス（２）の手前側においては光の連続性が確保し難く、結果として、光源ボックス（２）が発光することなく、投光される光が途切れてしまうものであった。
【０００６】
本発明は、上述の事実に鑑みてなされたものであって、その目的とするところは、光源ボックスの手前側などでも光源からの光の連続性を充分に確保することができるライトガイド型照明装置を提供することにある。
【０００７】
【課題を解決するための手段】
本発明の請求項１に係るライトガイド型照明装置は、透光性を有するパイプ（１）とこのパイプ（１）に繋がり、内部に光源（５）を内蔵する光源ボックス（２）とを設けたライトガイド型照明装置であって、上記光源ボックス（２）の側方に補助光源（３）を設けるとともに、この補助光源（３）の光を投射させる光投射板（４）を設けたことを特徴とする。
【０００８】
本発明の請求項２に係るライトガイド型照明装置は、上記光投射板（４）が、ストライプ状に形成されたパターン（６）であることを特徴とする。
【０００９】
本発明の請求項３に係るライトガイド型照明装置は、上記ストライプ状に形成されたパターン（６）が、黒色になっている黒色ゾーン（７）と銀色になっている銀色ゾーン（８）とを有しているものであることを特徴とする。
【００１０】
本発明の請求項４に係るライトガイド型照明装置は、上記光投射板（４）が、半透光性のものであり、上記パイプ（１）の外周の一部と略同一となるように形成されていることを特徴とする。
【００１１】
本発明の請求項５に係るライトガイド型照明装置は、上記光投射板（４）の手前側に半透光性の縦リブパネル（９）を設けたことを特徴とする。
【００１２】
本発明の請求項６に係るライトガイド型照明装置は、上記光投射板（４）が、上記補助光源（３）を覆いかぶせるものであることを特徴とする。
【００１３】
本発明の請求項７に係るライトガイド型照明装置は、上記パイプ（１）の両端部にエンドキャップ（１０）がそれぞれ設けられ、このエンドキャップ（１０）が、半透光性の拡散シート（１１）であることを特徴とする。
【００１４】
本発明の請求項８に係るライトガイド型照明装置は、上記パイプ（１）どうしが、直列に連結されたものであることを特徴とする。
【００１５】
【発明の実施の形態】
以下、本発明の実施の形態を図面を参照しながら詳しく説明する。
【００１６】
図１は、本発明の一実施形態に係るライトガイド型照明装置を示した側面図である。図２は、本発明の一実施形態に係るライトガイド型照明装置を示した要部の側面図である。図３は、本発明の他の一実施形態に係るライトガイド型照明装置を示した断面図である。図４は、本発明のライトガイド型照明装置に用いられる一実施形態の光投射板を示した正面図である。図５は、図４の光投射板を示した断面図である。図６の（ａ）は、本発明のライトガイド型照明装置に用いられる一実施形態のパイプの端部を示した概略図であり、図６の（ｂ）は、同図６の（ａ）のパイプの端部を示した正面図である。図７は、本発明のさらに他の一実施形態に係るライトガイド型照明装置を示した断面図である。
【００１７】
本発明のライトガイド型照明装置は、図１ないし図７に示すごとく、透光性を有するパイプ（１）とこのパイプ（１）に繋がり、内部に光源（５）を内蔵する光源ボックス（２）とを設けたライトガイド型照明装置であって、上記光源ボックス（２）の側方に補助光源（３）を設けるとともに、この補助光源（３）の光を投射させる光投射板（４）を設けているものである。
【００１８】
上記パイプ（１）は、透光性を有しているものである。このパイプ（１）は、通常ライトチューブや発光チューブといわれているものであり、その両端が開放されているものである。図１に示すごとく、このパイプ（１）の開放された両端のうち、一端側に内部に光源（５）を内蔵している光源ボックス（２）が接続されて、同パイプ（１）の一端からの光を他端へと導くようになされているものである。そして、このパイプ（１）の内面には、導光性を有する導光シートや発光シートなどが配されていてもかまわないものである。なお、このパイプ（１）の形状としては、特に制限されるものではないが、例えば、図１ないし図３、図６に示すごとく、円筒状のものが採用されるものである。それから、図１に示すごときパイプ（１）どうしが複数接続されている場合、金属製や樹脂製などのクランプといったような連結具（１２）が連結部分に用いられているものである。
【００１９】
上記光源（５）は、図１および図２に示すごとく、光源ボックス（２）に内蔵されており、上記パイプ（１）に繋がっているものである。この光源（５）の周囲には、照射された光を反射する反射鏡が設けられていてもかまわないものである。この光源（５）としては、通常用いられているランプと同様のものでかまわず、特に制限されるものではないものである。
【００２０】
そして、上記光源ボックス（２）においては、その投光側の開口面に配したガラスを浮かせた状態で保持することによって、光源（５）側とパイプ（１）側との間に通気のための隙間を確保しており、さらには、光源ボックス（２）のハウジングには、外気との間の通気を図る通気部などを設けているものである。また、上記光源ボックス（２）は、パイプ（１）側のフランジとの接続用バックルを解除するとともに、固定用の固定ピンなどを外して、同光源ボックス（２）をパイプ（１）の軸方向である後方へスライドさせれば下方側へ回転させることができるようになっていることで、光源（５）の交換作業を容易に行えるような対応を図っているものである。
【００２１】
上記補助光源（３）は、図１ないし図３、図７に示すごとく、上記光源ボックス（２）の側方に設けられているものである。この補助光源（３）の周囲には、照射された光を反射する反射鏡が設けられていてもかまわないものである。この補助光源（３）としては、上記光源ボックス（２）の側方に設けられていれば、通常用いられているランプと同様のものでかまわず、特に制限されるものではないものである。
【００２２】
上記光投射板（４）は、図１ないし図３、図７に示すごとく、上記補助光源（３）の光を投射させているものである。この光投射板（４）としては、上記補助光源（３）から光を受けて投射させることができるものであれば、その材質は特に問われるものではないものである。また、上記補助光源（３）から光を受けて投射させることができれば、この光投射板（４）の設置される位置としても、図１ないし図３に示す場合に限られず、様々な位置に設置されてもかまわないものである。
【００２３】
本発明は、このような構成をとることによって、光源ボックス（２）の内部に内蔵されている光源（５）から光が発せられ、パイプ（１）にて光源（５）からの光を遠方に導きながら、同パイプ（１）の経路途中で光を徐々に外部に放出するようになっているとともに、光源ボックス（２）の側方に設けられた補助光源（３）からも光が発せられて、この補助光源（３）からの光を光投射板（４）にて投射させることができるために、光源ボックス（２）としても発光させることができ、その結果、パイプ（１）の経路部分に限られず、光源（５）からの光の連続性を充分に確保することができるものである。
【００２４】
すなわち、本発明は、光源ボックス（２）の手前側などでも光源（５）からの光の連続性を充分に確保することができるものである。
【００２５】
また、図４および図５に示すごとく、上記光投射板（４）が、ストライプ状に形成されたパターン（６）であると、発光したパイプ（１）とストライプ状に形成されたパターン（６）である光投射板（４）との質感を近似させることができて、その結果、外観上での光の連続性を充分に確保することができるものとなる。
【００２６】
さらに、図４および図５に示すごとく、上記ストライプ状に形成されたパターン（６）が、黒色になっている黒色ゾーン（７）と銀色になっている銀色ゾーン（８）とを有しているものであると、発光したパイプ（１）とストライプ状に形成されたパターン（６）である光投射板（４）との質感を黒色になっている黒色ゾーン（７）と銀色になっている銀色ゾーン（８）とを有しているストライプ状のパターン（６）にてより一層確実に近似させることができて、その結果、外観上での光の連続性をより一層充分に確保することができるものとなる。
【００２７】
なお、上記ストライプ状に形成されたパターン（６）が、黒色になっている黒色ゾーン（７）と銀色になっている銀色ゾーン（８）とを有しているものの代わりに、黒色になっている黒色ゾーン（７）と灰色になっている灰色ゾーンとを有しているものであってもかまわないし、その他にも、黒色になっている黒色ゾーン（７）と銀色になっている銀色ゾーン（８）と灰色になっている灰色ゾーンとを有しているものであってもかまわないものである。
【００２８】
そして、図２および図７に示すごとく、上記光投射板（４）が、半透光性のものであり、上記パイプ（１）の外周の一部と略同一となるように形成されていると、発光したパイプ（１）と光投射板（４）の発光部分とが半透光性で、パイプ（１）の外周の一部と略同一となるように形成されている光投射板（４）にて外観上で同じ大きさとなり、光源（５）からの光の連続性に全く違和感がなくなり、その結果として、光源（５）からの光の連続性をより一層充分に確保することができるものとなる。
【００２９】
また、図３に示すごとく、上記光投射板（４）の手前側に半透光性の縦リブパネル（９）を設けているものであると、このような光投射板（４）の手前側に設けられた半透光性の縦リブパネル（９）にてパイプ（１）の長手方向に補助光源（３）の光を拡散させながら投射させることができて、結果として、光源（５）からの光の連続性をより一層充分に確保することができる上に、パイプ（１）どうしの連結に用いられている連結具や補助光源（３）などを隠すことができるものである。
【００３０】
さらに、図１および図７に示すごとく、上記光投射板（４）が、上記補助光源（３）を覆いかぶせるものであると、補助光源（３）を覆いかぶせる光投射板（４）にて同補助光源（３）を隠しながら、パイプ（１）の長手方向に補助光源（３）の光を拡散させつつ投射させることができて、結果として、光源（５）からの光の連続性をより一層充分に確保することができるものである。
【００３１】
また、図６の（ａ）および（ｂ）に示すごとく、上記パイプ（１）の両端部にエンドキャップ（１０）がそれぞれ設けられ、このエンドキャップ（１０）が、半透光性の拡散シート（１１）であると、パイプ（１）の端部まで透り抜けてきた光の一部が拡散シート（１１）を透過して、その結果、外観上では、エンドキャップ（１０）から光が漏れるものとなり、同エンドキャップ（１０）を光らせることができて、パイプ（１）の端部であっても光らせることができるようになるものである。そして、このような場合、上記パイプ（１）をＬ型状に配置する際に非常に有用なものである。
【００３２】
具体的には、上記拡散シート（１１）は、半透光性のものであって、図６の（ａ）の矢印Ａに示すごとく、パイプ（１）の端部まで透り抜けてきた光の一部が拡散シート（１１）を透過し、同パイプ（１）の端部まで透り抜けてきた光の残りが、図６の（ａ）の矢印Ｂに示すごとく、拡散シート（１１）で反射してパイプ（１）内に戻すことができるようになっているものである。
【００３３】
そして、図１および図２に示すごとく、上記パイプ（１）どうしが、直列に連結されたものであると、光源（５）からの光が直列に連結されたパイプ（１）をまっすぐに透り抜けるために、光源（５）からの光を遠方に導きながら、同パイプ（１）の経路途中で光を放出させて光らせることが充分にできて、その結果、このように複数のパイプ（１）が連結されても、光源（５）からの光の連続性をより一層充分に確保することができるものである。
【００３４】
本発明のライトガイド型照明装置によると、図１ないし図７に示すごとく、透光性を有するパイプ（１）とこのパイプ（１）に繋がり、内部に光源（５）を内蔵する光源ボックス（２）とを設けたライトガイド型照明装置であって、上記光源ボックス（２）の側方に補助光源（３）を設けるとともに、この補助光源（３）の光を投射させる光投射板（４）を設けたので、光源ボックス（２）の内部に内蔵されている光源（５）から光が発せられ、パイプ（１）にて光源（５）からの光を遠方に導きながら、同パイプ（１）の経路途中で光を徐々に外部に放出するようになっているとともに、光源ボックス（２）の側方に設けられた補助光源（３）からも光が発せられて、この補助光源（３）からの光を光投射板（４）にて投射させることができるために、光源ボックス（２）としても発光させることができ、その結果、パイプ（１）の経路部分に限られず、光源（５）からの光の連続性を充分に確保することができるものである。
【００３５】
すなわち、本発明は、光源ボックス（２）の手前側などでも光源（５）からの光の連続性を充分に確保することができるものである。
【００３６】
【発明の効果】
本発明の請求項１に係るライトガイド型照明装置によると、光源ボックス（２）の内部に内蔵されている光源（５）から光が発せられ、パイプ（１）にて光源（５）からの光を遠方に導きながら、同パイプ（１）の経路途中で光を徐々に外部に放出するようになっているとともに、光源ボックス（２）の側方に設けられた補助光源（３）からも光が発せられて、この補助光源（３）からの光を光投射板（４）にて投射させることができるために、光源ボックス（２）としても発光させることができ、その結果、パイプ（１）の経路部分に限られず、光源（５）からの光の連続性を充分に確保することができるものである。
【００３７】
すなわち、本発明は、光源ボックス（２）の手前側などでも光源（５）からの光の連続性を充分に確保することができるものである。
【００３８】
本発明の請求項２に係るライトガイド型照明装置によると、請求項１記載の場合に加えて、発光したパイプ（１）とストライプ状に形成されたパターン（６）である光投射板（４）との質感を近似させることができて、その結果、外観上での光の連続性を充分に確保することができるものとなる。
【００３９】
本発明の請求項３に係るライトガイド型照明装置によると、請求項２記載の場合に加えて、発光したパイプ（１）とストライプ状に形成されたパターン（６）である光投射板（４）との質感を黒色になっている黒色ゾーン（７）と銀色になっている銀色ゾーン（８）とを有しているストライプ状のパターン（６）にてより一層確実に近似させることができて、その結果、外観上での光の連続性をより一層充分に確保することができるものとなる。
【００４０】
本発明の請求項４に係るライトガイド型照明装置によると、請求項１ないし請求項３いずれか記載の場合に加えて、発光したパイプ（１）と光投射板（４）の発光部分とが半透光性で、パイプ（１）の外周の一部と略同一となるように形成されている光投射板（４）にて外観上で同じ大きさとなり、光源（５）からの光の連続性に全く違和感がなくなり、その結果として、光源（５）からの光の連続性をより一層充分に確保することができるものとなる。
【００４１】
本発明の請求項５に係るライトガイド型照明装置によると、請求項１ないし請求項４いずれか記載の場合に加えて、このような光投射板（４）の手前側に設けられた半透光性の縦リブパネル（９）にてパイプ（１）の長手方向に補助光源（３）の光を拡散させながら投射させることができて、結果として、光源（５）からの光の連続性をより一層充分に確保することができる上に、パイプ（１）どうしの連結に用いられている連結具や補助光源（３）などを隠すことができるものである。
【００４２】
本発明の請求項６に係るライトガイド型照明装置によると、請求項１ないし請求項４いずれか記載の場合に加えて、補助光源（３）を覆いかぶせる光投射板（４）にて同補助光源（３）を隠しながら、パイプ（１）の長手方向に補助光源（３）の光を拡散させつつ投射させることができて、結果として、光源（５）からの光の連続性をより一層充分に確保することができるものである。
【００４３】
本発明の請求項７に係るライトガイド型照明装置によると、請求項１ないし請求項６いずれか記載の場合に加えて、パイプ（１）の端部まで透り抜けてきた光の一部が拡散シート（１１）を透過して、その結果、外観上では、エンドキャップ（１０）から光が漏れるものとなり、同エンドキャップ（１０）を光らせることができて、パイプ（１）の端部であっても光らせることができるようになるものである。
【００４４】
本発明の請求項８に係るライトガイド型照明装置によると、請求項１ないし請求項７いずれか記載の場合に加えて、光源（５）からの光が直列に連結されたパイプ（１）をまっすぐに透り抜けるために、光源（５）からの光を遠方に導きながら、同パイプ（１）の経路途中で光を放出させて光らせることが充分にできて、その結果、このように複数のパイプ（１）が連結されても、光源（５）からの光の連続性をより一層充分に確保することができるものである。
【図面の簡単な説明】
【図１】本発明の一実施形態に係るライトガイド型照明装置を示した側面図である。
【図２】本発明の一実施形態に係るライトガイド型照明装置を示した要部の側面図である。
【図３】本発明の他の一実施形態に係るライトガイド型照明装置を示した断面図である。
【図４】本発明のライトガイド型照明装置に用いられる一実施形態の光投射板を示した正面図である。
【図５】図４の光投射板を示した断面図である。
【図６】（ａ）は、本発明のライトガイド型照明装置に用いられる一実施形態のパイプの端部を示した概略図であり、（ｂ）は、（ａ）のパイプの端部を示した正面図である。
【図７】本発明のさらに他の一実施形態に係るライトガイド型照明装置を示した断面図である。
【図８】一従来例に係るライトガイド型照明装置を示した断面図である。
【符号の説明】
１    パイプ
２    光源ボックス
３    補助光源
４    光投射板
５    光源
６    パターン
７    黒色ゾーン
８    銀色ゾーン
９    縦リブパネル
１０  エンドキャップ
１１  拡散シート
【図１】
2004213939.tif 000003
【図２】
2004213939.tif 000004
【図３】
2004213939.tif 000005
【図４】
2004213939.tif 000006
【図５】
2004213939.tif 000007
【図６】
2004213939.tif 000008
【図７】
2004213939.tif 000009
【図８】
2004213939.tif 000010